(57)【要約】【課題】  略球状のバッフルを有するスピーカを構造物へ固定する場合のスピーカ装置全体のサイズが小さくて済むようにすること。【解決手段】  このスピーカは、スピーカユニット１と、そのスピーカユニット１に取り付けられ球面波ホーンバッフルとなるブラケット（前面側ブラケット２と背面側ブラケット３）とを備え、球面波ホーンバッフルとなる該ブラケットの外表面の一部には、取付平面部３ａが形成される。取付平面部３ａで背面側ブラケット３が構造物に固定されることで、このスピーカが構造物に固定される。【選択図】  図２
2005236708.tif 000002
【特許請求の範囲】
【請求項１】
スピーカユニットと、
上記スピーカユニットに取り付けられ球面波ホーンバッフルとなるブラケットと、
球面波ホーンバッフルとなる上記ブラケットの外表面の一部に形成される取付平面部と、
を備えることを特徴とするスピーカ。
【請求項２】
前記ブラケットは、前記スピーカユニットに取り付けられる第１のブラケット部材と、その第１のブラケット部材に接続される第２のブラケット部材とを有し、
前記取付平面部は、前記第２のブラケット部材のみに形成されること、
を特徴とする請求項１記載のスピーカ。
【請求項３】
第１のブラケット部材と、
上記第１のブラケット部材に形成されスピーカユニットを挿入可能な孔と、
上記スピーカユニットの前面周囲に形成され上記孔より大径なフランジと、
上記第１のブラケット部材とともに略球状のバッフルを構成する第２のブラケット部材と、
上記第１のブラケット部材を上記第２のブラケット部材に連結する連結機構と、
上記孔に挿入された上記スピーカユニットと嵌合して上記スピーカユニットを上記第２のブラケット部材に係止する係止部材と、
上記第１のブラケット部材と上記第２のブラケット部材とが接合面に沿って相対的に回転すると、上記連結機構による上記第２のブラケット部材への上記第１のブラケット部材の連結を解除するとともに、上記第２のブラケット部材から上記第１のブラケット部材とともに上記フランジを押し離すことにより上記係止部材と上記スピーカユニットとの嵌合を解除する解除機構と、
を備えることを特徴とするスピーカブラケット構造。
【請求項４】
前記連結機構は、前記第１のブラケット部材と前記第２のブラケット部材とが接合面に沿って相対的に第１の方向へ回転すると、前記第１のブラケット部材を前記第２のブラケット部材に連結し、
前記解除機構は、前記第１のブラケット部材と前記第２のブラケット部材とが接合面に沿って相対的に上記第１の方向とは反対の第２の方向へ回転すると、前記係止部材と前記スピーカユニットとの係止を解除すること、
を特徴とする請求項３記載のスピーカブラケット構造。
【請求項５】
前記係止部材は、前記第２のブラケット部材に着脱可能であって、前記第２のブラケット部材から取り外され前記スピーカユニットに装着された場合には、前記スピーカユニットのみ、または前記スピーカユニットと前記第１のブラケット部材のみを固定する取り付け具となることを特徴とする請求項３または請求項４記載のスピーカブラケット構造。
【請求項６】
前記スピーカユニットの背面側に突出した円筒部と、
上記円筒部の内周面に形成された第１の係合部とを備え、
前記係止部材は、上記第１の係合部に係合する第２の係合部を有し、上記第１の係合部と上記第２の係合部とが係合することで前記スピーカユニットを係止すること、
を特徴とする請求項５記載のスピーカブラケット構造。
【請求項７】
スピーカユニットと、
請求項３から請求項６のうちのいずれか１項記載のスピーカブラケット構造を有し、上記スピーカユニットを装着されるブラケットと、
を備えることを特徴とするスピーカ。
【請求項８】
前記ブラケットが、請求項３から請求項６のうちのいずれか１項記載のスピーカブラケット構造を有することを特徴とする請求項１または請求項２記載のスピーカ。
【発明の詳細な説明】
【技術分野】
【０００１】
本発明は、スピーカおよびスピーカブラケット構造に関する。
【背景技術】
【０００２】
良好な音響特性を得られる球面波ホーンバッフルのエンクロージャを有するスピーカが存在する（例えば特許文献１参照）。なお、「球面波ホーンバッフル」とは、指数関数ホーンのホーン壁が、ドーム型振動板における球中心を仮想中心とする球体表面積を基準としてその球体表面積が振動板表面からの距離に応じて指数関数的に増加するような値となるように形成されたバッフルである。図９は、球面波ホーンバッフルを有するエンクロージャを有するスピーカの一例を示す図である。図９（Ａ）は、球面波ホーンバッフルを有する略球状のエンクロージャを有するスピーカの外観を示す斜視図であり、図９（Ｂ）は、図９（Ａ）に示すスピーカの上面図である。
【０００３】
図９に示すように、ドーム型振動板１０１を有するスピーカユニットがエンクロージャ１０２に設けられる。エンクロージャ１０２の外表面部分が球面波ホーンバッフルとなる。このエンクロージャ１０２は台座１０３に接続される。
【０００４】
他方、スピーカを各種構造物に対して固定する方法としては種々の方式が提案されている。例えば、スピーカを、図９（Ａ）の台座１０３のような台座に固定し、さらにその台座を、ネジ止め、吸盤、両面粘着テープなどで構造物に固定する方式（例えば特許文献２参照）、構造物に形成された孔にスピーカユニットを挿入し、さらにそのスピーカユニットの外側でカバーを構造物と係合接続することで、スピーカユニットをその構造物に固定する方式（例えば特許文献３参照）などがある。
【０００５】
【特許文献１】特許第２５８８２０５号公報（第７図、第９図など）
【特許文献２】特開平１０−２５７５８６号公報（図１、図５、図６など）
【特許文献３】特開２００２−１８６０７７号公報（図５など）
【発明の開示】
【発明が解決しようとする課題】
【０００６】
しかしながら、スピーカを固定するために台座を使用する場合、このような台座は、スピーカユニットと構造物との間を接続するための接続具としての役割しかないにも拘わらず、台座を含めたスピーカ装置全体のサイズを大きくしてしまうという問題がある。また、スピーカ取り付け用の孔を構造物に設ける場合には、予めそのような孔を開けておくか、取り付け時に孔を開けることになってしまう。
【０００７】
特に球面波ホーンバッフルなどの略球状のエンクロージャの場合、スピーカユニット単体に比べエンクロージャの外形が大きくなるため、さらに台座を使用したときには、上記の問題がより顕著になる。
【０００８】
本発明は、上記の問題に鑑みてなされたものであり、略球状のバッフルを有していても構造物への固定時のスピーカ装置全体のサイズが小さくて済むスピーカおよびスピーカブラケット構造を得ることを目的とする。
【課題を解決するための手段】
【０００９】
上記の課題を解決するために、本発明のスピーカは、スピーカユニットと、スピーカユニットに取り付けられ球面波ホーンバッフルとなるブラケットと、球面波ホーンバッフルとなるブラケットの外表面の一部に形成される取付平面部とを備える。
【００１０】
さらに、本発明のスピーカは、上記発明のスピーカに加え、次のようにしてもよい。すなわち、ブラケットは、スピーカユニットに取り付けられる第１のブラケット部材と、その第１のブラケット部材に接続される第２のブラケット部材とを有し、取付平面部は、第２のブラケット部材のみに形成される。
【００１１】
また、本発明のスピーカブラケット構造は、第１のブラケット部材と、第１のブラケット部材に形成されスピーカユニットを挿入可能な孔と、スピーカユニットの前面周囲に形成され上記孔より大径なフランジと、第１のブラケット部材とともに略球状のバッフルを構成する第２のブラケット部材と、第１のブラケット部材を第２のブラケット部材に連結する連結機構と、孔に挿入されたスピーカユニットと嵌合してスピーカユニットを第２のブラケット部材に係止する係止部材と、第１のブラケット部材と第２のブラケット部材とが接合面に沿って相対的に回転すると、連結機構による第２のブラケット部材への第１のブラケット部材の連結を解除するとともに、第２のブラケット部材から第１のブラケット部材とともにフランジを押し離すことにより係止部材とスピーカユニットとの嵌合を解除する解除機構とを備える。
【００１２】
さらに、本発明のスピーカブラケット構造は、上記発明のスピーカブラケット構造に加え、次のようにしてもよい。すなわち、連結機構は、第１のブラケット部材と第２のブラケット部材とが接合面に沿って相対的に第１の方向へ回転すると、第１のブラケット部材を第２のブラケット部材に連結する。そして、解除機構は、第１のブラケット部材と第２のブラケット部材とが接合面に沿って相対的に第１の方向とは反対の第２の方向へ回転すると、係止部材とスピーカユニットとの係止を解除する。
【００１３】
さらに、本発明のスピーカブラケット構造は、上記発明のスピーカブラケット構造のいずれかに加え、次のようにしてもよい。すなわち、係止部材は、第２のブラケット部材に着脱可能であって、第２のブラケット部材から取り外されてからスピーカユニットに装着された場合には、スピーカユニットのみ、またはスピーカユニットと第１のブラケット部材のみを固定する取り付け具となる。
【００１４】
さらに、本発明のスピーカブラケット構造は、上記発明のスピーカブラケット構造に加え、次のようにしてもよい。すなわち、このスピーカブラケット構造は、スピーカユニットの背面側に突出した円筒部と、円筒部の内周面に形成された第１の係合部とを備え、係止部材は、第１の係合部に係合する第２の係合部を有し、第１の係合部と第２の係合部とが係合することでスピーカユニットを係止する。
【００１５】
また、本発明のスピーカは、スピーカユニットと、上記発明のいずれかのスピーカブラケット構造を有し、スピーカユニットを装着されるブラケットとを備える。
【００１６】
また、本発明のスピーカブラケット構造は、上記発明のスピーカのいずれに適用してもよい。
【発明の効果】
【００１７】
本発明によれば、略球状のバッフルを有していても構造物への固定時のスピーカ装置全体のサイズが小さくて済むスピーカおよびスピーカブラケット構造を得ることができる。
【発明を実施するための最良の形態】
【００１８】
以下、図に基づいて本発明の実施の形態を説明する。
【００１９】
図１は、本発明の実施の形態に係るスピーカの構成を示す分解斜視図である。図２は、本発明の実施の形態に係るスピーカの断面図である。
【００２０】
図１に示すように、このスピーカは、スピーカユニット１、前面側ブラケット２、背面側ブラケット３および取付金具４を有する。
【００２１】
スピーカユニット１は、図２に示すように、ホーン１ａを含む構造部材とスピーカ機能部分（振動板１ｂ、磁気ヨーク１ｃ、マグネット、ボイスコイルなど）とで構成される。この実施の形態では、構造部材は、ホーン１ａ、ホーン１ａからスピーカユニット１の背面側へ延びる円筒部１ｄ、および磁気ヨーク１ｃに嵌合しスピーカ機能部分を構造部材に固定する爪１ｅを有する。ホーン１ａは、球面波ホーンバッフルの一部を構成する。ホーン１ａの外周端にはフランジ１ｆが形成される。円筒部１ｄの内周面には、取付金具４の係合を受ける第１の係合部としての係合凹部１ｇが形成される。係合凹部１ｇは、穴としてもよいし、内周面に沿った溝としてもよい。また、スピーカ機能部分では、振動板１ｂはドーム型の振動板であって、その振動板１ｂにはサスペンション１ｈが接続される。なお、この構造部材は、例えば、樹脂材料を成形することで得られる。さらに、構造部材にスピーカ機能部分を嵌合させることで、スピーカユニット１が得られる。この実施の形態では、スピーカユニット１は、ツイータのスピーカユニットである。
【００２２】
また、前面側ブラケット２は、筒形状を呈する第１のブラケット部材である。前面側ブラケット２は、一方の端部に、スピーカユニット１が挿入される孔２ａを有する。そして、図２に示すように、孔２ａの周囲には、スピーカユニット１が孔２ａに挿入された際にフランジ１ｆと係合する溝２ｂが形成される。さらに、前面側ブラケット２は、スピーカユニット１が孔２ａに挿入されたときにホーン１ａの外周端から滑らかに延びる外表面２ｃを有する。すなわち、ホーン１ａの表面と外表面２ｃとが滑らかに外延するように、フランジ１ｆおよび溝２ｂが成形される。これにより、前面側ブラケット２は、球面波ホーンバッフルの一部を構成する。さらに、前面側ブラケット２において、孔２ａと反対側の端部には、背面側ブラケット３の接合を受ける接合面２ｄが形成される。この接合面２ｄには、前面側ブラケット２と背面側ブラケット３との連結および分離のための連結機構の一部を構成する突起（接合面凸部）２ｅが形成される。この実施の形態では、接合面２ｄは、スピーカユニット１の軸（向き）に対して垂直となるように成形されている。なお、前面側ブラケット２は、例えば、樹脂材料を成形することで得られる。
【００２３】
また、背面側ブラケット３は、略半卵殻形状を呈する第２のブラケット部材である。背面側ブラケット３の外表面の一部には取付平面部３ａが形成される。取付平面部３ａは、球面波ホーンバッフルの表面曲面の一部を平面にて切り取った表面形状とされ、スピーカユニット１の軸から所定の角度だけ傾斜した方向の平面として成形される。さらに、図２に示すように、背面側ブラケット３の開口部分には、前面側ブラケット２の接合を受ける接合面３ｂが形成される。その接合面３ｂには、連結機構の一部として突起２ｅの係合を受ける接合面凹部３ｃが形成される。さらに、背面側ブラケット３には、スピーカユニット１に対して平行に取付金具４を支持する支持部３ｄが形成される。その支持部３ｄには、取付金具４を背面側ブラケット３にネジ止めするためのネジ穴３ｅが形成される。また、取付平面部３ａには、背面側ブラケット３を、ダッシュボード、壁、柱、天井などといった構造物９１にネジ止めするためのネジ穴３ｆが形成され、取付平面部３ａの背面側端部付近には、コード５を挿通するための孔３ｇが形成される。なお、背面側ブラケット３は、例えば、樹脂材料を成形することで得られる。
【００２４】
上述の前面側ブラケット２と背面側ブラケット３がスピーカユニット１用のブラケットとなるとともに、一体となってスピーカユニット１の略球状のエンクロージャとなる。
【００２５】
また、取付金具４は、略円盤形状を呈する金属製の取り付け具である。取付金具４の円盤外縁には４つの板バネ４ａが等間隔で直立している。この板バネ４は、取付金具４の径方向外側に向かって突出するように折り曲げられ、これにより、スピーカユニット１の係合凹部１ｇに係合する係合凸部（第２の係合部）が形成される。さらに、取付金具４の円盤には、取付金具４を背面側ブラケット３にネジ止めする際にネジ６が挿通される孔４ｂが形成され、さらに、スピーカユニット１に接続されたコード５が挿通される孔４ｃが形成される。
【００２６】
また、コード５は、スピーカユニット１に接続され、スピーカユニット１に電気信号を供給する。このコード５は、前面側ブラケット２、取付金具４および背面側ブラケット３を挿通する。
【００２７】
また、ネジ６は、取付金具４を背面側ブラケット３にネジ止めするためのネジである。ネジ６は、背面側ブラケット３のネジ穴３ｃに螺合する。これにより、取付金具４と背面側ブラケット３が締め付けられる。
【００２８】
また、粘着板７は、取付平面部３ａと略同形状の平板である。ただし、粘着板７には、ネジ止め時にネジ８が挿通する切り欠きが設けられている。さらに、粘着板７の表（おもて）面および裏面にそれぞれ両面粘着テープが配されており、背面側ブラケット３を構造物９１へ強固に固定することが可能となる。なお、ネジ止めのみで背面側ブラケット３を構造物９１へ固定する場合には、粘着板７は必要ない。
【００２９】
ネジ８は、背面側ブラケット３を構造物９１へ固定するためのネジである。ネジ８は、構造物９１の反対側に存在するナット９に螺合する。これにより、背面側ブラケット３と構造物９１とが締め付けられる。
【００３０】
ここで、前面側ブラケット２と背面側ブラケット３との接合面２ｄ，３ｂ付近における両者の構造の詳細について説明する。図３は、本発明の実施の形態に係るスピーカの前面側ブラケット２の接合面２ｄ付近の拡大斜視図である。図４は、本発明の実施の形態に係るスピーカの背面側ブラケット３の接合面３ｂ付近の拡大斜視図である。
【００３１】
図２に示すように、前面側ブラケット２の接合面２ｄに形成される突起２ｅは、前面側ブラケット２より肉薄とされ、前面側ブラケット２の内周面に沿って形成されている。そして、図３に示すように、この突起２ｅの先端部には、接合面２ｄの周方向に沿って、径方向外側に突出した固定用凹凸部２ｆとガイド用凸部２ｇが形成される。
【００３２】
固定用凹凸部２ｆは、孔２ａを手前として前面側ブラケット２を配置した場合の突起２ｅの時計方向の端部に形成され、突起２ｅの突出幅より狭い幅の、隣接する２つの凸部で構成される。ガイド用凸部２ｇは、固定用凹凸部２ｆに隣接する位置から、孔２ａを手前として前面側ブラケット２を配置した場合の突起２ｅの反時計方向の端部まで形成され、突起２ｅの突出幅より狭い幅の略レール状の凸部で形成される。ガイド用凸部２ｇは、上記反時計方向の端部に近づくに従って（図３の上下方向に）幅広かつ肉厚になるように成形される。
【００３３】
一方、背面側ブラケット３の接合面３ｂには、図４に示すように、接合面凹部３ｃが形成されており、この接合面凹部３ｃが存在する背面側ブラケット３の部分は、肉薄とされている。接合面凹部３ｃの底３ｃ１において、接合面３ｂを手前として背面側ブラケット３を配置した場合の時計方向の端部から所定の距離の位置には、背面側ブラケット３の内周面３ｃ２から突出する半円柱状の凸部３ｈが形成される。さらに、接合面凹部３ｃの底３ｃ１と接合面３ｂとの中央付近には、内周面３ｃ２上にガイド用凸部３ｉが接合面３ｂに対して平行に形成される。このガイド用凸部３ｉは、接合面凹部３ｃの周方向の中央付近から、接合面３ｂを手前として背面側ブラケット３を配置した場合の時計方向の端部まで設けられる。また、接合面３ｂを手前として背面側ブラケット３を配置した場合の反時計方向の、接合面凹部３ｃの端面は、斜面部３ｊとされる。
【００３４】
図３に示す前面側ブラケット２の突起２ｅの構造、および図４に示す背面側ブラケット３の接合面凹部３ｃの構造により、前面側ブラケット２と背面側ブラケット３との連結が可能となる。前面側ブラケット２と背面側ブラケット３との連結時には、まず、突起２ｅが接合面凹部３ｃ内に挿入され、両者の接合面２ｄ，３ｂと接合させ、その後、背面側ブラケット３に対して前面側ブラケット２を、前面側ブラケット２を手前とした場合の時計方向に回転させると、ガイド用凸部２ｇ，３ｉにより、固定用凹凸部２ｆが凸部３ｈに近づいていき、固定用凹凸部２ｆの一方の凸部が凸部３ｈに当接し凸部３ｈを乗り越え、固定用凹凸部２ｆの２つの凸部の間の凹部と凸部３ｈとが嵌合する。これにより、一定のクリック感とともに、前面側ブラケット２と背面側ブラケット３とが連結される。連結後は、前面側ブラケット２と背面側ブラケット３との相対運動は、接合面２ｄ，３ｂの周方向においては固定用凹凸部２ｆと凸部３ｈとにより規制され、接合面２ｄ，３ｂに垂直な方向においてはガイド用凸部２ｇ，３ｉにより規制される。
【００３５】
次に、この実施の形態に係るスピーカの組立てについて説明する。
【００３６】
まず、図１に示すようにコード５が配置される。次に、取付金具４が背面側ブラケット３にネジ止めされる。そして、上述のようにして、前面側ブラケット２が背面側ブラケット３に連結される。その後、スピーカユニット１が、前面側ブラケット２の孔２ａへ押し込まれると、スピーカユニット１の係合凹部１ｇと取付金具４の板バネ４ａの係合凸部とが嵌合することで、スピーカユニット１が固定される。
【００３７】
このようにして、この実施の形態に係るスピーカが組立てられる。図５は、本発明の実施の形態に係るスピーカの組立後の外観を示す斜視図である。なお、製品出荷時の状態は、図５に示すような組み立てられた状態、あるいは、図１に示すような分解された状態のいずれの状態としてもよい。
【００３８】
次に、この実施の形態に係るスピーカを、組立後の状態（図５の状態）から分解する場合について説明する。図６は、本発明の実施の形態に係るスピーカのブラケットの分解時の動作について説明する図である。図６（Ａ）〜（Ｃ）は、分解時において、スピーカの内部から見たブラケット２，３の接合面２ｄ，３ｂ付近を示す図であり、図６（Ｄ），（Ｅ）は、分解時におけるスピーカの断面図である。
【００３９】
この実施の形態に係るスピーカの場合、分解の際には、まず、背面側ブラケット３に対して前面側ブラケット２を、前面側ブラケット２を手前とした場合の反時計方向に回転させる。これにより、まず、図６（Ａ）に示す固定位置での固定用凹凸部２ｆと凸部３ｈとの嵌合状態が解除される。その際、固定用凹凸部２ｆの一方の凸部が凸部３ｈを乗り越える。これにより、一定のクリック感とともに、前面側ブラケット２と背面側ブラケット３との連結が解除され、ガイド用凸部２ｇ，３ｉに規制されつつ接合面２ｄ，３ｂに沿って、前面側ブラケット２と背面側ブラケット３とが相対的に移動する。これにより、図６（Ｂ）の状態となる。
【００４０】
引き続き、前面側ブラケット２が、前面側ブラケット２を手前とした場合の反時計方向に回転すると、突起２ｅの端部が、接合面凹部３ｃの端面である斜面部３ｊに当接する。突起２ｅの端部が斜面部３ｊに当接すると、接合面２ｄ，３ｂに平行な回転力の一部が、前面側ブラケット２を背面側ブラケット３から押し離す付勢力となる。これにより、接合面２ｄと接合面３ｂとが離れ、前面側ブラケット２と背面側ブラケット３とが分離する。これにより、図６（Ｃ）に示す状態となる。さらに回転を進めると、前面側ブラケット２の突起２ｅは、背面側ブラケット３の接合面凹部３ｃから完全に離脱する。
【００４１】
この一連の動作では、上述のように前面側ブラケット２を背面側ブラケット３から押し離す付勢力が発生する。その際、前面側ブラケット２は、スピーカユニット１のフランジ１ｆと背面側ブラケット３に挟まれているため、前面側ブラケット２が背面側ブラケット３から押し離されると、スピーカユニット１のフランジ１ｆは、前面側ブラケット２と同様に付勢力を受ける。これにより、スピーカユニット１は、前面側ブラケット２とともに背面側ブラケット３から離れる方向に移動する。その結果、スピーカユニット１の係合凹部１ｇから取付金具４の板バネ４ａによる係合凸部が外れて、スピーカユニット１および前面側ブラケット２が、背面側ブラケット３から分離する。これにより、図６（Ｄ）に示す状態となる。
【００４２】
この状態では、スピーカユニット１は、前面側ブラケット２の孔２ａに単に挿入されているだけであるので、図６（Ｅ）のようにして、スピーカユニット１と前面側ブラケット２とを互いに反対方向に引張るだけで、スピーカユニット１は、前面側ブラケット２から簡単に離脱する。
【００４３】
このようにして、この実施の形態に係るスピーカは分解される。上述のように、分解に際しては、前面側ブラケット２と背面側ブラケット３とを捻って前面側ブラケット２と背面側ブラケット３とを相対的に逆方向に回転させる第１の動作と、スピーカユニット１と前面側ブラケット２とを互いに逆方向に引張る第２の動作といった２つの動作のみで、スピーカが、スピーカユニット１、前面側ブラケット２および背面側ブラケット３の３つに簡単に分解される。
【００４４】
次に、この実施の形態に係るスピーカの取り付けについて説明する。取り付け方法としては、種々の方法を採用可能である。
【００４５】
第１の方法として、粘着板７のみを使用してスピーカを構造物９１に取り付ける場合には、図５に示すような組立後の状態で、スピーカの取付平面部３ａと構造物９１との間に粘着板７を挿入して、スピーカを構造物９１に固定すればよい。
【００４６】
第２の方法として、ネジ８およびナット９によるネジ止めにてスピーカを構造物９１に取り付ける場合には、まず、上述のようにしてスピーカを分解した状態、つまり、スピーカユニット１、前面側ブラケット２、背面側ブラケット３および取付金具４が分離した状態とし、ネジ８をネジ孔３ｆおよび構造物９１に挿入しナット９へ螺合させることで、背面側ブラケット３と構造物９１とが締め付けられる。これにより、背面側ブラケット３が構造物９１に固定される。
【００４７】
次に、ネジ６およびネジ穴３ｅによるネジ止めより、取付金具４が背面側ブラケット３に固定される。その後の手順としては、上述の組立ての場合の手順と同様であるので、その説明を省略する。
【００４８】
このようにして、スピーカが構造物９１に固定される。図７は、本発明の実施の形態に係るスピーカの取り付け後の状態を示す側面図である。図７に示すように、ネジ８およびナット９によるネジ止めで取付平面部３ａが構造物９１の表面に圧接されるため、取付平面部３ａと構造物９１の表面とは平行になる。このため、スピーカユニット１は、構造物９１の表面に対して所定の角度（仰角）を向く。
【００４９】
上述のような方法により、球面波ホーンバッフルを有するスピーカを、コンパクトな状態で構造物９１に取り付けることが可能である。
【００５０】
しかしながら、ユーザによっては、視野の確保のためや乱雑感を軽減するために、さらにスピーカを目立たなくさせたいという希望をもつ場合がある。その場合、本実施の形態に係るスピーカによれば、背面側ブラケット３を使用せずにスピーカユニット１および前面側ブラケット２のみを取り付けることが可能である。これにより、さらにコンパクトな状態でスピーカを取り付けることができる。
【００５１】
スピーカユニット１および前面側ブラケット２のみを取り付ける第３の方法では、分解した状態で、まず、取付金具４を構造物９１にネジ止めする。次に、スピーカユニット１を前面側ブラケット２に挿入した状態で、スピーカユニット１の係合凹部１ｇと取付金具４の板バネ４ａによる係合凸部とを係合させる。これにより、スピーカユニット１および前面側ブラケット２が構造物９１に固定される。
【００５２】
その際、前面側ブラケット２の突起２ｅが、取り付けの邪魔となる可能性がある。その場合には、前面側ブラケット２の突起２ｅを背面側ブラケット３に設け、背面側ブラケット３の接合面凹部３ｃを前面側ブラケット２に設ければよい。これにより、前面側ブラケット２の接合面２ｄから突出する部分がなくなるため、簡単に取り付けを行うことができる。
【００５３】
あるいは、前面側ブラケット２も使用せずにスピーカユニット１のみを同様にして取り付けるようにしてもよい。
【００５４】
また、スピーカユニット１のみを取り付ける場合には、構造物９１に形成された孔にスピーカユニット１を挿入し、さらにそのスピーカユニット１の外側でカバーを構造物９１と係合接続することで、スピーカユニット１をその構造物９１に固定するようにしてもよい。
【００５５】
以上のように、上記実施の形態のスピーカは、スピーカユニット１と、スピーカユニットに取り付けられ球面波ホーンバッフルとなるブラケット２，３と、球面波ホーンバッフルとなるブラケット３の外表面の一部に形成される取付平面部３ａとを備える。これにより、スピーカユニット１を取り付けるためのブラケット２，３を球面波ホーンバッフルとして十分活かして良好な音響特性を確保しつつ、略球状のバッフルを有するスピーカを構造物９１へ固定する際のスピーカ装置全体のサイズがより小さくて済む。
【００５６】
図８は、本発明の実施の形態に係るスピーカの指向性特性の計測結果の一例を示す図である。図８では、スピーカからの各角度に対する音圧レベルＳＰＬの分布をグラフとして示している。グラフでは、径方向における破線の１目盛りが５デシベルに相当し、最外円がデシベルを示す。最外円に付された数値は、スピーカの軸からの角度を示す。図中の実線の音圧レベル特性は、本発明の実施の形態に係るスピーカの一例によるものであり、破線の音圧レベル特性は、従来品によるものである。また、図８（Ａ）は４キロヘルツでの特性であり、図８（Ｂ）は５キロヘルツでの特性である。図８から、本発明の実施の形態に係るスピーカによれば、広い角度範囲において音圧レベルがほぼ一定に保たれており、良好な音響特性が得られることがわかる。
【００５７】
さらに、上記実施の形態では、背面側ブラケット３のみに取付平面部３ａが形成されているため、取付平面部３ａの音響特性への影響を軽減している。
【００５８】
さらに、上記実施の形態に係るスピーカのブラケット構造では、スピーカユニット１に接続される前面側ブラケット２と、前面側ブラケット２とともに球面波ホーンバッフルを構成する背面側ブラケット３と、スピーカユニット１を背面側ブラケット３に係止する係止部材としての取付金具４と、前面側ブラケット２と背面側ブラケット３が接合面２ｄ，３ｂに沿って回転すると、取付金具４とスピーカユニット１との係止を解除する解除機構（フランジ１ｆ、突起２ｅおよび接合面凹部３ｃの斜面部３ｊ）が設けられている。これにより、前面側ブラケット２と背面側ブラケット３を互いに逆方向へ捻るだけでスピーカを簡単に分解することができる。簡単に分解することができるため、様々な方法での取り付けを簡単に行うことができる。
【００５９】
さらに、上記実施の形態によれば、ブラケット２，３内部で使用される取付金具４が、背面側ブラケット３に着脱可能であって、背面側ブラケット３から取り外されてからスピーカユニット１に装着された場合には、スピーカユニット１のみ、またはスピーカユニット１と前面側ブラケット２のみを構造物９１に固定する取り付け具となる。これにより、ユーザのニーズにあった取り付け方法を、別の部材を使用することなく実現することができる。
【００６０】
さらに、上記実施の形態によれば、スピーカユニット１の背面側に突出した円筒部１ｄの内周面に係合凹部１ｇが形成されており、取付金具４の板バネ４ａによる係合凸部は、この係合凹部１ｇに係合する。これにより、取付金具４が円筒部１ｄに隠れるため、スピーカユニット１のみをこの取付金具４で取り付ける場合に取付金具４を目立たなくすることができる。
【００６１】
なお、上記実施の形態は、本発明の好適な例であるが、本発明は、これらに限定されるものではなく、本発明の要旨を逸脱しない範囲において、種々の変形、変更が可能である。
【００６２】
例えば、上記実施の形態において、突起２ｅおよび接合面凹部３ｃの形状を周方向に沿った形状を左右反転させた形状とし、上記実施の形態の場合とは逆方向への回転で、前面側ブラケット２と背面側ブラケット３との連結と分離を行えるようにしてもよい。
【００６３】
また、上記実施の形態においては、接合面凹部３ｃの一端面を斜面部３ｊとしているが、接合面凹部３ｃの斜面部３ｊに追加して、突起２ｅにおけるガイド用凸部２ｇ側の端面を斜面としてもよい。
【００６４】
また、上記実施の形態においては、スピーカユニット１の円筒部１ｄに係合凹部１ｇが設けられ、取付金具４に係合凸部が設けられているが、スピーカユニット１の円筒部１ｄに係合凸部を設け、取付金具４の板バネ４ａにより係合凹部を形成するようにしてもよい。
【００６５】
また、上記実施の形態において、取付金具４の代わりに、樹脂製の取付具を使用してもよい。また、取付金具４などの取付具を背面側ブラケット３と一体的に成形するようにしてもよい。
【００６６】
また、上記実施の形態において、前面側ブラケット２の固定用凹凸部２ｆと背面側ブラケット３の凸部３ｈの代わりに、前面側ブラケット２の突起２ｅに孔を設け、背面側ブラケット３の接合面凹部３ｃにその孔に嵌合する爪を設けるようにしてもよい。
【００６７】
また、上記実施の形態において、背面側ブラケット３の斜面部３ｊは、底３ｃ２に対して所定の角度（例えば３０度、４５度、６０度）とされる。所定の角度を小さくした場合には、小さい回転力でもスピーカユニット１と前面側ブラケット２を押し離すことが可能となるが、比較的大きい回転角度が必要となる。逆に所定の角度を大きくした場合には、小さい回転角度でスピーカユニット１と前面側ブラケット２を押し離すことが可能となるが、比較的大きい回転力が必要となる。したがって、この角度は、スピーカユニット１の係合凹部１ｇと取付金具４の係合凸部との嵌合による機械的な抵抗を考慮して、ユーザが操作しやすくなるように決めればよい。
【００６８】
また、上記実施の形態においては、２つのブラケット２，３に突起２ｅと接合面凹部３ｃが１組だけ設けられているが、２組以上を接合面２ｄ，３ｂに設けるようにしてもよい。２組以上設ける場合には、接合面２ｄ，３ｂの周方向において等間隔となるように各突起２ｅと各接合面凹部３ｃが設けられる。
【産業上の利用可能性】
【００６９】
本発明は、ツイータなどの指向性の高いスピーカユニットを有するスピーカ、車載用スピーカなどに適用可能である。
【図面の簡単な説明】
【００７０】
【図１】図１は、本発明の実施の形態に係るスピーカの構成を示す分解斜視図である。
【図２】図２は、本発明の実施の形態に係るスピーカの断面図である。
【図３】図３は、本発明の実施の形態に係るスピーカの前面側ブラケットの接合面付近の拡大斜視図である。
【図４】図４は、本発明の実施の形態に係るスピーカの背面側ブラケットの接合面付近の拡大斜視図である。
【図５】図５は、本発明の実施の形態に係るスピーカの組立後の外観を示す斜視図である。
【図６】図６は、本発明の実施の形態に係るスピーカのブラケットの分解時の動作について説明する図である。
【図７】図７は、本発明の実施の形態に係るスピーカの取り付け後の状態を示す側面図である。
【図８】図８は、本発明の実施の形態に係るスピーカの指向性特性の計測結果の一例を示す図である。
【図９】図９は、球面波ホーンバッフルを有するエンクロージャを有するスピーカの一例を示す図である。
【符号の説明】
【００７１】
１  スピーカユニット
１ｄ  円筒部と、
１ｆ  フランジ（解除機構の一部）
１ｇ  係合凹部（第１の係合部）
２  前面側ブラケット（ブラケットの一部、第１のブラケット部材）
２ａ  孔
２ｅ  突起（解除機構の一部、連結機構の一部）
３  背面側ブラケット（ブラケットの一部、第２のブラケット部材）
３ａ  取付平面部
３ｃ  接合面凹部（解除機構の一部、連結機構の一部）
４  取付金具（係止部材）
４ａ  板バネ（第２の係合部）
【図１】
2005236708.tif 000003
【図２】
2005236708.tif 000004
【図３】
2005236708.tif 000005
【図４】
2005236708.tif 000006
【図５】
2005236708.tif 000007
【図６】
2005236708.tif 000008
【図７】
2005236708.tif 000009
【図８】
2005236708.tif 000010
【図９】
2005236708.tif 000011